(57)【要約】      （修正有）【課題】コンパクト型蛍光灯のいずれの型番にも共用できる口金を有する発光ダイオード照明を提供する。【解決手段】ＦＤＬ型コンパクト型蛍光灯に対応した照明器具に取り付けることができる発光ダイオード照明の口金であって、前記口金の側面にはソケット側に着脱可能に係止される係止突起２４が突設されると共に、凹部２５が形成されており、前記凹部２５をＦＤＬ型コンパクト型蛍光灯の口金の側面に形成されている誤接続防止用凹部のいずれよりも大きくする。これにより、ＦＤＬ型コンパクト型蛍光灯に対応した照明器具のソケットの内周面に形成された電圧やワット数の異なるソケットへの誤接続防止用突起のいずれとも非接触とすることができ、ＦＤＬ型コンパクト型蛍光灯に対応した照明器具のいずれにも取り付け可能な発光ダイオード照明となる。【選択図】図２
0003177431.tif 000002
【実用新案登録請求の範囲】
【請求項１】
ＦＤＬ型コンパクト型蛍光灯に対応した照明器具に取り付けることができる発光ダイオード照明用口金であって、前記口金の側面にはソケット側に着脱可能に係止される係止突起が突設されると共に、凹部が形成されており、前記凹部がＦＤＬ型コンパクト型蛍光灯の口金の側面に形成されている誤接続防止用凹部のいずれよりも大きいことを特徴とするＦＤＬ型コンパクト型蛍光灯に対応した照明器具に取り付け可能な発光ダイオード照明用口金。
【請求項２】
請求項１に記載した口金を有する発光ダイオード照明。
【考案の詳細な説明】
【技術分野】
【０００１】
本考案は、コンパクト型蛍光灯を使用する照明器具（例えば、電気スタンド、フロアのダウンライト）本体を交換せずに、当該照明器具のソケットに直接取り付けることが可能な口金及び当該口金を有する発光ダイオード照明に関するものである。
【背景技術】
【０００２】
コンパクト型蛍光灯は、口金がピン構造になっており、電気スタンド、フロアのダウンライトとして白熱電球の代替に使用されている蛍光灯である。抜き差しが簡単なのでランプ交換が容易である。スクエア型蛍光灯や電気スタンド照明に良く使われているＦＰＬ蛍光灯やＦＰＨ蛍光灯、ダウンライトに使われているＦＤＬ蛍光灯、ＦＨＴ蛍光灯など、色々な種類がある。ピンを差し込むだけでランプ交換ができるため、メンテナンスが容易である。また、ランプを回転させて固定する必要がないため、大量のランプ交換を行う場合に適している。一般には口金が１つしかない構造になっている。
ＦＤＬ型コンパクト型蛍光灯は、Ｕ字形の発光管を２本重ねて接合した蛍光灯である。大きさが一般の白熱電球とほぼ同じサイズであるため、従来の蛍光灯では実現ができなかった小型器具との組合せに適している。蛍光灯の明るさにより消費電力が異なるため、型番（９Ｗ型，１３Ｗ型，１８Ｗ型，２７Ｗ型）のものがある。また、ＦＨＴ型コンパクト型蛍光灯は、６本のガラス管を接合したコンパクトな蛍光灯である。高周波点灯専用で寿命や明るさが重視される場所などに適した電球である。蛍光灯の明るさにより消費電力が異なるため、型番（１６Ｗ型，２４Ｗ型，３２Ｗ型，４２Ｗ型）のものがある。
このため、コンパクト型蛍光灯の口金は、ＧＸ１０ｑ、ＧＹ１０ｑ、ＧＲＸ１０ｑ、ＧＸ２４ｑ、Ｇ２３、ＧＸ５３などの形式があり、それぞれコンパクト型蛍光灯の形状により異なる。
【０００３】
なお、本考案において、ソケットとは、電球あるいは類似形状の照明用電気器具を電気回路に接続するための接点を構成する電気部品のうち、雌型のものをいう。また、口金とは、電球あるいは類似形状の照明用電気器具を電気回路に接続するための接点を構成する電気部品のうち、雄型のものをいう。
【０００４】
上述したように、コンパクト型蛍光灯は、型番ごとに口金外周側面に形状の異なる凹部を形成し、それに対応する照明器具のソケットの内周側面にも型番ごとに突起が形成されている。これにより、口金外周側面に形成された凹部とソケット内周側面に形成された突起とが一対になって、電圧やワット数の異なるソケットへのコンパクト型蛍光灯の誤接続を防止している。一方、発光ダイオード照明は消費電力が小さく、どの型番にも対応でき、型番に応じて口金形状を変更する必要はない。しかしながら、これまで、コンパクト型蛍光灯を発光ダイオード照明に変更するには、型番に応じて照明器具本体を交換する必要があった。
【０００５】
この改善策として、特許文献１に記載された共通溝を有するソケットを使用することが提案されている。しかしながら、かかるソケットを介することは、費用、外観の点で問題がある。
【先行技術文献】
【特許文献】
【０００６】
【特許文献１】実用新案登録第３１６０８５８号公報
【考案の概要】
【考案が解決しようとする課題】
【０００７】
本考案が解決しようとする課題は、コンパクト型蛍光灯のいずれの型番にも共用できる口金を有する発光ダイオード照明を提供することにより、コンパクト型蛍光灯を取り付ける既存の照明器具をそのまま用いることで、蛍光灯ランプを交換するように手軽に発光ダイオード照明へ交換することを可能とすることである。
【課題を解決するための手段】
【０００８】
上記課題は、以下の態様により解決できる。
（態様１）ＦＤＬ型コンパクト型蛍光灯に対応した照明器具に取り付けることができる発光ダイオード照明用口金であって、前記口金の側面にはソケット側に着脱可能に係止される係止突起が突設されると共に、凹部が形成されており、前記凹部がＦＤＬ型コンパクト型蛍光灯の口金の側面に形成されている誤接続防止用凹部のいずれよりも大きいことを特徴とするＦＤＬ型コンパクト型蛍光灯に対応した照明器具に取り付け可能な発光ダイオード照明用口金である。口金側面に形成する凹部をかかる大きさとすることで、ＦＤＬ型コンパクト型蛍光灯に対応した照明器具のソケットの側面に形成された誤接続防止用突起のいずれとも非接触とすることができ、コンパクト型蛍光灯のいずれの型番にも共用できる口金を有する発光ダイオード照明を提供できる。
【０００９】
（態様２）前記（態様１）に記載した口金を有するＬＥＤ照明である。
【考案の効果】
【００１０】
本考案のＦＤＬ型コンパクト型蛍光灯に対応した照明器具に取り付け可能な発光ダイオード照明用口金およびそれを有する発光ダイオード照明は、既存のＦＤＬ型コンパクト型蛍光灯に対応した照明器具に容易に取り付けることができるという利点がある。
【図面の簡単な説明】
【００１１】
【図１】本考案に係る口金を有する電球型発光ダイオード照明の１例を示した説明図
【図２】本考案に係るＦＤＬ型コンパクト型蛍光灯に対応した照明器具に取り付け可能な発光ダイオード照明用口金部の形状を示した説明図
【図３】ＦＤＬ型コンパクト蛍光灯（９Ｗ型）の口金部の形状を示した説明図
【図４】ＦＤＬ型コンパクト蛍光灯（１３Ｗ型）の口金部の形状を示した説明図
【考案を実施するための形態】
【００１２】
ＦＤＬ型コンパクト型蛍光灯に対応した照明器具に取り付け可能なように、口金側面の対角の位置に同一の楕円孤状の凹部を配置している。
【実施例】
【００１３】
図１は、本考案に係る口金を有する電球型発光ダイオード照明の１例を示した説明図である。電球型発光ダイオード照明は、発光ダイオード照明本体部１と本体部を支持する口金部２から形成されている。本体部１の周囲には、放熱用のアルミヒートシンク１１を配置し、当該ヒートシンクには、通風用の孔１２を設けている。また、本体部１の上部は半透明の樹脂カバー１３で覆っている。口金部２は、ＰＢＴ樹脂などの耐熱性合成樹脂により形成される口金基体１４と突出形成された口金１５とからなる。
【００１４】
図２は、本考案に係るＦＤＬ型コンパクト型蛍光灯に対応した照明器具に取り付け可能な発光ダイオード照明用口金部の形状を示した説明図である。口金部は、ＰＢＴ樹脂などの耐熱性合成樹脂により形成される。発光ダイオード照明を支持する口金基体２１から口金２２が突出形成されている。口金２２の底面には、発光ダイオード照明と接続された４本の金属製の接続ピン２３が突設されている。口金２２の側面にはソケット側に着脱可能に係止される係止突起２４が突設されているとともに、対角の位置にある２か所に、同一の楕円孤状の本考案に係る凹部２５を形成している。
当該凹部２５は、後述する図３に示すＦＤＬ型コンパクト蛍光灯（９Ｗ型）のＰＢＴ樹脂などの耐熱性合成樹脂により形成された口金３２の側面に形成された電圧やワット数の異なるソケットへの誤接続防止用凹部３５、図４に示すＦＤＬ型コンパクト蛍光灯（１３Ｗ型）のＰＢＴ樹脂などの耐熱性合成樹脂により形成された口金４２に形成された電圧やワット数の異なるソケットへの誤接続防止用凹部４５、に比べて大きく、その大きさは、前記誤接続防止用凹部３５及び４５のいずれをも包含するものである。かかる凹部１５を口金１２の対角にある２か所に設けることで、既存のＦＤＬ型コンパクト型蛍光灯に対応した照明器具のソケットの内周面に形成された突起（図示せず）のいずれとも非接触とすることができる。これにより、既存のＦＤＬ型コンパクト型蛍光灯に対応した照明器具に、型番いかんを問わず容易に取り付けることができる。
【００１５】
図３は、既存のＦＤＬ型コンパクト蛍光灯（９Ｗ型）の口金部の底面形状を示した説明図である。ＰＢＴ樹脂などの耐熱性合成樹脂により形成される口金基体３１に突出形成された口金３２の側面の対角位置には、電圧やワット数の異なるソケットへの誤接続防止用の凹部３５が小さく形成されている。当該凹部は、当該ＦＤＬ型コンパクト蛍光灯（９Ｗ型）を取り付ける照明器具のソケットの内周面に形成された突起（図示せず）と雄型雌型の関係にある。また、口金３２の底面には通電用の金属製の接続ピン３３を設け、側面にはソケット側に着脱可能に係止される係止突起３４が突設されている。
【００１６】
図４は、既存のＦＤＬ型コンパクト蛍光灯（１３Ｗ型）の口金の底面形状を示した説明図である。ＰＢＴ樹脂などの耐熱性合成樹脂により形成される口金基体４１に突出形成された口金４２の側面の対角位置には、電圧やワット数の異なるソケットへの誤接続防止用の凹部４５が小さく形成されている。当該凹部は、当該ＦＤＬ型コンパクト蛍光灯（１３Ｗ型）を取り付ける照明器具のソケットの内周面に形成された突起と雄型雌型の関係にある。上述したＦＤＬ型コンパクト蛍光灯（９Ｗ型）の凹部３３の底面形状とは異なる。また、口金４２の底面には通電用の金属製の接続ピン４３を設け、側面にはソケット側に着脱可能に係止される係止突起４４が突設されている。
【産業上の利用可能性】
【００１７】
既存のＦＤＬ型コンパクト型蛍光灯に対応した照明器具に容易に取り付けることができる発光ダイオード照明に適用できる。
【符号の説明】
【００１８】
１  発光ダイオード照明本体部
２  発光ダイオード照明口金部
１１  アルミヒートシンク
１２  アルミヒートシンクの通風孔
１３  樹脂カバー
１４  口金基体  
１５  口金
２１  口金基体
２２  口金
２３  接続ピン
２４  係止突起
２５  本考案に係る凹部
３１  口金基体
３２  口金
３３  接続ピン
３４  係止突起
３５  誤接合防止用凹部
４１  口金基体
４２  口金
４３  接続ピン
４４  係止突起
４５  誤接合防止用凹部
【図１】
0003177431.tif 000003
【図２】
0003177431.tif 000004
【図３】
0003177431.tif 000005
【図４】
0003177431.tif 000006